(57)【特許請求の範囲】
【請求項１】
側面(1a)、（1b）、（1c）、（1d）及び底面（1e）にて組合わせ形成され、その境界線は箱型に形成時に便なるように縫い目（3b）が挿入されているキルティングを施した布を使用してなる1枚に形成したマットの四隅を、縫い目（3b）に沿って箱型に折り曲げ、箱の内側に沿って、漏斗型の各折畳部（9a）（9b）（9c）（9d）を形成し、該漏斗型の各四隅をスライドファスナー（7）にて止着し、箱型に形成することにより、立体構造のキャリーボックス（1）を構成し、該構成したボックス（1）の内部に、ベビーを保護する風防側壁シート（10a）、（10b）、（10c）よりなるインナーシート（10）と該インナーシート(10)と一体に形成されたインナーシート床板部分(13)を組込み、該インナーシート床板部分（13）のシート挟着部分（14）をボックス（1）の側壁に形成したマットの側面(1a)の外側に位置させてシート折曲部(15)により挟み込み固定し、また、前記側面（1b）、（1d）にひだ(2a)及び（2b）を設置したことを特徴とするベビーキャリーバスケット。
【請求項２】
側面(1a)、（1b）、（1c）、（1d）及び底面（1e）にて組合わせ形成され、その境界線は箱型に形成時に便なるように縫い目（3b）が挿入されているキルティングを施した布を使用してなる1枚に形成したマットの四隅を、縫い目(3a)（3b）に沿って箱型に折り曲げ、箱の内側に沿って、漏斗型の各折畳部（9a）（9b）（9c）（9d）を形成し、該漏斗型の各四隅をスライドファスナー（7）にて止着し、箱型に形成することにより、立体構造のキャリーボックス（1）を構成し、該構成したボックス（1）の内部に、ベビーを保護する風防側壁シート（10a）、（10b）、（10c）よりなるインナーシート（10）と該インナーシート(10)とは別体に形成されたインナーシート床板部分(13)を組込み、該インナーシート床板部分（13）のシート挟着部分（14）をボックス（1）の側壁に形成したマットの側面(1a)の外側に位置させてシート折曲部(15)により挟み込み固定し、また、前記側面（1b）、（1d）にひだ(2a)及び（2b）が設置されていることを特徴とするベビーキャリーバスケット。
【請求項３】
止着された四隅のスライドファスナー（7）を全部外し、平面状のマット（1a）〜（1e）に形成し寝床に、または、一部のスライドファスナーを外して、キャリーボックス（1）の側面を開放することにより、ベビーを乗せたままおむつの交換等が容易にできるように使用したことを特徴とする請求項1又は２記載のベビーキャリーバスケットの使用方法。
【発明の詳細な説明】
【０００１】
【発明の属する技術分野】
本発明は、外出等に使用するベビーキャリーバスケット及びその使用方法に関するものである。
【０００２】
【従来の技術】
従来、ベビー用キャリーバスケットに用いられるクーファンと一般に呼ばれ全国的に販売され、多くの国民に用いられているフランス製のバスケット図５は、本体がトウモロコシの茎にて編まれた籠に、外部をその中にワラを挿入した薄い布地にて覆い、更に、ベビーの頭部を覆う乳母車式の覆いを装着した形式を採用している。
【０００３】
しかし、これらのバスケットは空間の多い構造のため、使用によりバスケットに虫がつく、いわゆる寄生すると言う、子供に弊害を与える欠点があった。
また、ベビーには付き物のおむつの交換時にはバスケット内にて行うには弊害が多く不便であった。
【０００４】
【発明が解決しようとする課題】
本発明は、外で寝るときにも布団に、おむつを交換するときもバスケットに入れたまま交換でき、しかも、ベビーに噛み付く虫が発生しない衛生的な、皆に好まれるベビーキャリーバスケットの提供を目的とするものである。
【０００５】
【課題を解決するための手段】
本発明は、そのため、キャリーボックス1の構造を固定型式にせず、トウモロコシの茎にて編んだ籠型式でなく、現在欧米にて主流として使用されているマット構造を主体に、樹脂を浸透させ強度を持たせた綿わたを中に詰め、表面の布にキルティングを施した1枚のマット布団に、該四隅を折り曲げ、スライドファスナー７にて止着することにより立体箱型キャリーボックス1に形成させ、キャリ時にはキャリーボックス1の構成にて使用させ、屋外で寝せるときはスライドファスナー７を外し、マット1a〜1eの状態に広げて使用し、また、外出時にボックス1にベビーを入れたままおむつ交換をする場合には、足元のスライドファスナー７を外すだけで前を開け、楽に交換できるような手段を講じたものである。
【０００６】
【発明の実施の形態】
【０００７】
【作用】
本発明は、上記の手段を講じたので、これを使用するときは、ベビーキャリーバスケットとしての使用は勿論のこと、従来の固定形型のベビークーファンではベビー成長後に不要になるのに対し、本発明のキャリーボックス1型式は、布団収納は勿論のこと、オモチヤ入れとか、道具、雑貨入れとか、広範囲なボックス1として使用範囲を拡大する作用がある。
【０００８】
【実施例】
以下、図１、図２、図３、図４に基づき本発明の実施例についてさらに詳細に説明する。
【０００９】
図１において本発明のベビーキャリーバスケットは、箱型に形成されたキャリーボックス1内部分にインナーシート10部分が組み込まれ、側壁に形成されたマットの側面1aとインナーシート床板部13が、マットの側面1aが内側、シートの挟着部分14が外側に位置する状態に、シート折曲部15で挟み込まれ、互いにしっかり挟着され固定されている。
尚、互いの連結部分は、説明のマットの側面1aだけに限らず、他の部分において、面ファスナー等にて更に係着されていてもよい。
【００１０】
ベビーを保護するインナーシート10は、風防側壁シート10a、10b、10cにより囲われ、インナーシート床板部分13と一体に形成され、更に、インナーシート床板部分13は折り曲げられ、シート挟着部14を形成する。
シート挟着部14には両側端部にはシート固着片16が設けられ、該固着片16の内側先端部には、面ファスナー17がそれぞれ固着され、マットの側面1b並びに側面1dの側壁にそれぞれ固着できるようになっている。
【００１１】
尚、インナーシート10は、構造が一体でなく、インナーシート10とインナーシート床板部分13と別々に構成され、互いに接合され一体に形成されていても、また、接合せず、別々に互いに重ね合わせただけでも差し支えない。
【００１２】
インナーシート10内には、更に、アンダーシート11並びに傾斜ソフト12が挿入組込まれ、ベビーが自然体にて安眠できる状態に保持されている。
尚、保持されたベビーが落下しないように、図4に示すごとく、身体押さえ布21とホック20を更に組込み形成することも可能である。
また、別に、ワイヤーを組込んだ布を用いて、キャリーボックス1上に、又はインナーシート10a、10b、10c上に、ベビーの頭部を雇う乳母車式の光線遮光覆いを一体に設置することも可能である。
また、クリップ等にて着脱可能状態作成された単体覆いとして設置することも可能である。
なお、該単体覆いは、単体として販売することもでき、特に単体で購入し、乗用車のチャイルドシート覆いとして設置可能である。
【００１３】
本発明の最大の特徴であるキャリーボックス1は、図3に示す様に平面状のマットシート型式にて形成され、平らなマットは側面1a、1b、1c、1d及び底面1eにて組合わせ形成され、その境界線は箱型に形成時に便なるように縫い目3bが挿入されている。
【００１４】
マット1a〜1eに用いられる材料には、樹脂を浸透させ強度を持たせた綿わたを中に詰め、該表面の布にキルティングを施し、その端面部はバイアステープにて挟み、覆って補強されている。
従って、マット1a〜1eは適度の弾力性に富んだ厚みを保持し、キャリーボックス1に構成したとき、軽くて、十分な強度を保持できる状態の厚みにキャリーバスケットが作製されている。
また、マット1a〜1eに用いられる材料に、現在靴の中に使われている通気性の良い、繊維素材を用いた、厚味のある丸編みニット製の生地を使用してもよい。
【００１５】
マットの側面1b、1dには更に、ひだ2a及び2bが設置され、更に、キャリーバンド4a、4bがエンドレスに、マットの底面1ｅの裏面に縫い付けられ1本に形成されている。
キャリーバンド4aには縛り布5が接着され、バンド4a、4bを束ねており、ベビーが落下しで怪我をしないように、ホック６又は面ファスナー等にて固着できるようになっている。
勿論、縛り布5が付着していなくても、十分にキャリーバスケットの働きをすることは言うまでもない。
【００１６】
縫い目3bに沿って内面に折曲げられたマットは、箱型に構成するためには各四端面を屈設し固着する必要があり、本発明では各四隅に形成する縫い目3a、3bを折り目にして、漏斗型の各折畳部9a、9b、9c、9dを形成させ、それを更に、スライドファスナー７の一方の務歯7aと他方の務歯7bとをスライダー8にて互いに掛着させ、箱型の各側端部を構成させた。
【００１７】
スライダー8は、本発明では箱の開き防止のため、上方向から作動するように取り付けたが、下方向から作動するように取り付けることも可能である。
【００１８】
尚、開き事故防止のために、漏斗型の各折畳部分9a、9b、9c、9dと箱型の各側面部1a、1b、1c、1d部分とを面ファスナー、ボタン又はホック等で固着してもよい。
【００１９】
図４は、漏斗型折畳部18a、18bを箱型側部分1aの外側に設けた、いわゆる本発明の実施例とは反対方向に設置した例を示し、箱型の構成条件が弱い分だけ、押さえ布19及びホック20を設け、更に補強した状態を示す。
勿論、これに上述と同様に、18a、18bをベ−スマット1a側面に互いに面ファスナーにて固着すると万全であることは言うまでもない。
【００２０】
図２、図３は、本発明のキャリーバスケットの使用方法を説明しており、使用途中でベビーのおむつを交換する場合、又は、取り上げる場合には、まず面ファスナー17をはがし、シート挟着部14を離し、箱の前部分1aの２ケ所のスライドファスナー７を外してインナーシート13を伸ばし、箱の前部を開けて作業を楽に行うことができる方法を示している。
【００２１】
従って、本発明の構成により、時にはキャリーボックス1に組立てベビーキャリーバスケットにして使用したり、時には前を広げておむつの交換をしたり、時にはピックニツク等外出の場合に、おでかけバックとして、又は、マットに広げて布団、敷物として使用することが可能となる。
不要時には、単に箱型にキャリーボックス1を組立てただけのオモチヤ箱として、又は、衣類収納箱等として組み替え使用することが可能となる。
【００２２】
【発明の効果】
以上詳述したように、本発明によれば、従来から販売されている固定構造のベビークーファン効果以上に、使用効率の高いベビーキャリーバスケットを得ることができ、また、その他ベビーキャリー使用以外に、ピクニックキャリーボックス、収納ボックス等が考えられ、従来に無い、大きい機能の付加価値を得ることができる。
【００２３】
図５に示す、従来のクーファンの欧風スタイル（スカート風）形式と異なり、キルティングに種々現代に即した種々のデザインを描くこと、また、染めた生地を採用することにより、万人に好まれるベビーキャリーバスケットを、またボックス等を得ることができる。
【００２４】
同時に、虫が付着しベビーに悪影響を与える問題もなく、高級・安全・特に清潔感をアピールしたベビーキャリーバスケットを市場に供給することができた。
【図面の簡単な説明】
【図１】本発明が適用されるバスケットの組立て使用状況を示す斜視説明図である。
【図２】本発明のおむつ交換時の使用状況を示す斜視説明図である。
【図３】本発明が布団使用時に形成された状態を示す斜視説明図である。
【図４】本発明の別の形態を示す斜視説明図である。
【図５】従来のべビークーファンの斜視説明図である。
【符号の説明】
1・・・・・・・・・・キャリーボックス
1a、1b、1c、1d、1e・・・マット
2a、2b・・・・ひだ
3a、3b・・・・縫い目
4a、4b、・・・キャリーバンド
5・・・・・・・・縛り布
6・・・・・・・・ホック
7・・・・・・・・・スライドファスナー
7a、7b・・・務歯
8・・・・・・・・スライダー
9a、9b、9c、9d・・・折畳部
10・・・・・・・・インナーシート
10a、10b、10c・・・インナーシート側部
11・・・・アンダーシート
12・・・傾斜ソフト
13・・・インナーシート床板部
14・・・シート挟着部
15・・・シート折曲部
16・・・シート固着片
17・・・面ファスナー
18a、18b・・・折畳部
19・・・押さえ布
20・・・ホック
21・・・身体押さえ布
【図１】
0003599582.tif 000002
【図２】
0003599582.tif 000003
【図３】
0003599582.tif 000004
【図４】
0003599582.tif 000005
【図５】
0003599582.tif 000006